(57)【要約】【課題】ハンドルなどを用いることなく簡単にタオルの両側を引張ってしわを伸ばすことができる。【解決手段】概ね水平方向に配され、タオルや布きん等Ｔを掛けるための支持棒１と、この支持棒１の両側にそれぞれ設けられ、支持棒１の長さ方向に沿って摺動可能な一対のクリップ２，２と、各クリップ２，２を支持棒１の外側へ向けて付勢するバネ３，３とからなり、バネ３，３は、一端が支持棒１の外側に固定され、他端がクリップ２に固定されている。【選択図】図１
2008036043.tif 000002
【特許請求の範囲】
【請求項１】
概ね水平方向に配され、タオルや布きん等を掛けるための支持棒（１）と、この支持棒の両側にそれぞれ設けられ、前記支持棒の長さ方向に沿って摺動可能な一対のクリップ（２，２）と、前記各クリップを前記支持棒の外側へ向けて付勢するバネ（３）とからなり、前記バネは、一端（３ａ）が前記支持棒の外側に固定され、他端（３ｂ）が前記クリップに固定されていることを特徴とするタオル等の掛け具。
【請求項２】
前記バネの一端が、前記支持棒の長さ方向に沿って移動可能なよう構成されていることを特徴とする請求項１に記載のタオル等の掛け具。
【請求項３】
前記バネが、前記各クリップのぞれぞれに設けられて構成されていることを特徴とする請求項１又は２に記載のタオル等の掛け具。
【発明の詳細な説明】
【技術分野】
【０００１】
本発明は、キッチンや洗面所などで使用するタオル等の掛け具に関するものである。
【背景技術】
【０００２】
一般的に、キッチンや洗面所などでは、水平な金属棒などで構成された簡単な掛け具が設置され、この掛け具にタオルや布きんを掛けている。しかし、この掛け具では、タオルなどを張った状態で掛けるには手間がかかるので、しわのある状態で掛けられることが多く、冬場などにはなかなかタオルが乾かない。そこで、しわを伸ばしてタオルなどを掛けることが可能な考案等が提供されている（例えば、特許文献１及び２参照）。しかし、特許文献１及び２に係る発明は、タオルの幅（大きさ）に合わせてクリップを移動する際に、ハンドルなどを用いるので手間がかかる。
【特許文献１】実開昭６２−１７８９３７号公報
【特許文献２】特開２００３−７１１９４号公報
【発明の開示】
【発明が解決しようとする課題】
【０００３】
そこで、本発明が解決しようとする課題は、ハンドルなどを用いることなく簡単にタオルの両側を引張ってしわを伸ばすことが可能なタオル等の掛け具を提供することである。
【課題を解決するための手段】
【０００４】
前記した課題を解決するために、本発明に係るタオル等の掛け具は、概ね水平方向に配され、タオルや布きん等を掛けるための支持棒と、この支持棒の両側にそれぞれ設けられ、支持棒の長さ方向に沿って摺動可能な一対のクリップと、各クリップを支持棒の外側へ向けて付勢するバネとからなり、バネは、一端が支持棒の外側に固定され、他端がクリップに固定されている。
【０００５】
好ましくは、前記バネの一端が、支持棒の長さ方向に沿って移動可能なよう構成されている。
【０００６】
更に好ましくは、前記バネが、各クリップのぞれぞれに設けられて構成されている。
【発明の効果】
【０００７】
前記のとおり、本発明に係るタオル等の掛け具は、支持棒に摺動可能なクリップを備えており、このクリップをバネで支持棒の外側（両端側）へ付勢するように構成されている。従って、支持棒に掛けたタオルの両側をそれぞれのクリップで挟むことにより、バネで各クリップがタオルを引張るよう構成されているので、簡単にタオルのしわを伸ばし、タオルを支持棒に掛けることができる。更に、バネの一端が支持棒の外側に固定され、他端がクリップに固定されているので、製作が容易で且つメンテナンス等の点にも優れている。
【０００８】
請求項２に係るタオル等の掛け具は、バネの一端が、支持棒の長さ方向に沿って移動可能なよう構成されているので、タオルの幅（大きさ）に応じて、クリップの初期位置を移動させることができる。
【０００９】
請求項３に係るタオル等の掛け具は、バネが、各クリップのぞれぞれに設けられ、双方のクリップ（バネ）による均等な力でタオルを両側から引張るので、バネの引張り力が小さくてもタオルのしわを確実に伸ばすことができる。
【発明を実施するための最良の形態】
【００１０】
以下、添付図面に基づいて、本発明に係るタオル等の掛け具について詳細に説明する。
【００１１】
図１は、本発明に係るタオル等の掛け具を示す全体正面図である。図２は、タオル等の掛け具の一方側を示す拡大正面図である。図３は、図２の底面図である。図４は、図２及び図３に示すＩ−Ｉ線断面図である。
【００１２】
図１に示すように、タオル等の掛け具は、概ね水平方向に配され、タオルや布きんＴなどを掛けるための支持棒１を備えている。支持棒１は、両端に取付け部５，５を備えており、この取付け部５，５を介してボルトや両面テープ等を用いて、キッチンなどの壁面に取り付けるようになっている。
【００１３】
支持棒１の両側には、一対のクリップ２，２が設けられている。図２及び図３の如く、各クリップ２，２は、筒状本体２０を備えている。そして、この筒状本体２０を支持棒１の外側に嵌め込むことにより、各クリップ２，２が、支持棒１の長さ方向に沿って摺動可能に構成されている。支持棒１及びクリップ２は、クリップ２が回転しないように、四角形などの多角状に構成されている。尚、支持棒１及びクリップ２は円柱状でもよい。
【００１４】
支持棒１の内部には、一対のバネ３，３が設けられている。各バネ３，３は、各クリップ２，２に取り付けられて固定され、支持棒１の両外側（両端側）に配されている。各バネ３，３によって、各クリップ２，２は、支持棒１の両外側へ向けて（図１の矢印方向）付勢されている。
【００１５】
図２の如く、クリップ２は、筒状本体２０に、挟持片２１が軸受２１ａに対して回転可能に設けられている。そして、スプリング２２が軸受２１ａに設けられ、このスプリング２２の付勢力によって、挟持片２１がタオルＴを挟むようになっている。
【００１６】
図２及び図３に示すように、バネ３は、一端３ａが支持棒１の外側（両端側）に固定され、他端３ｂがクリップ２に固定されている。バネ３は、引張りバネで構成されている。更に、支持棒１は、バネ３の一端３ａを、支持棒１の長さ方向に沿って移動して位置固定可能な位置設定手段４を備えている。
【００１７】
図４に示すように、位置設定手段４は、移動部４０を備えている。ボルト４１が、移動部４０に下方へ向けて延設されている。バネ３の一端３ａが、この移動部４０に取り付けられ固定されている。支持棒１は、多角筒状に構成されており、下片中央部に、長さ方向に沿って全長にわたって貫通する貫通部１０を備えている。
【００１８】
そして、位置設定手段４は、移動部４０が支持棒１の内部に配置され、ボルト４１が貫通部１０を通じて支持棒１の下方へ突出している。従って、移動部４０は、支持棒１の長さ方向に沿って移動可能である。位置設定手段４は、ボルト４１に螺合されるナット４２を備えている。ナット４２を上方へ螺合して移動することにより、移動部４０とナット４２とが支持棒１の下片に挟まれて、位置設定手段４は位置固定される。
【００１９】
上記より、位置設定手段４は、支持棒１の長さ方向に沿って移動して、位置固定可能なように構成されている。これにより、位置設定手段４の移動に伴い、バネ３の一端３ａと共にクリップ２の初期位置を、タオルＴの幅（大きさ）に応じて移動させることができるので、タオルＴのしわをきちんと伸ばすことができる。
【００２０】
尚、上記実施形態では、バネ３が、各クリップ２，２に取り付けられているが、一方のクリップ２にのみに設けられていても、本発明の課題を解決することができる。又、子供が喜ぶように、各クリップ２，２に、野菜や果物、漫画のキャラクター等の模型を取り付けてもよい。
【図面の簡単な説明】
【００２１】
【図１】本発明に係るタオル等の掛け具を示す全体正面図である。
【図２】タオル等の掛け具の一方側を示す拡大正面図である。
【図３】図２の底面図である。
【図４】図２及び図３に示すＩ−Ｉ線断面図である。
【符号の説明】
【００２２】
１  支持棒
２  クリップ
３  バネ
３ａ  バネの一端
３ｂ  バネの他端
【図１】
2008036043.tif 000003
【図２】
2008036043.tif 000004
【図３】
2008036043.tif 000005
【図４】
2008036043.tif 000006